(57)【要約】【課題】ＤＭＸ５１２規格等の信号を一旦無線や電力線で通信可能な信号に変換し、その後、再びＤＭＸ５１２規格等の信号に変換する場合でも、データの欠損等を抑制する照明制御通信システムを提供する。【解決手段】照明制御通信システム１は、第１変換部２と、制御部側通信部３と、器具側通信部４と、第２変換部５とを備える。第１変換部２は、照明器具７を制御するための通信に用いられる第１プロトコルに従った入力信号を、第２プロトコルに従った通信用信号に変換する。制御部側通信部３と器具側通信部４とは、通信用信号を送受信する。第２変換部５は、通信用信号を、照明器具７に出力される第１プロトコルに従った制御信号に変換する。第１変換部２は、入力信号のチャンネルの中から所定のチャンネルのデータのみを抽出し、通信用信号に変換する。第２変換部５は、通信用信号に所定のデータを補完することで、制御信号に変換する。【選択図】図１
2019110080.tif 000002
【特許請求の範囲】
【請求項１】
照明器具を制御するための通信に用いられる第１プロトコルに従った信号である入力信号を、第２プロトコルに従った通信用信号に変換する第１変換部と、
前記通信用信号を送信する制御部側通信部と、
前記通信用信号を受信する器具側通信部と、
前記器具側通信部が受信した前記通信用信号を、前記第１プロトコルに従った信号である制御信号に変換する第２変換部と、を備え、
前記第１プロトコルに従った信号は、あらかじめ定められた数のチャンネルを有し、
前記第１プロトコルに従った信号には、前記照明器具を制御するためのデータがチャンネルごとに含まれ、
前記第１変換部は、前記入力信号のチャンネルの中から、前記チャンネルのうち、あらかじめ定められたチャンネルのデータのみを抽出し、前記通信用信号に変換し、
前記第２変換部は、前記器具側通信部が受信した前記通信用信号に所定のデータを補完することで、前記第１プロトコルの前記制御信号に変換する、照明制御通信システム。
【請求項２】
前記第２変換部は、前記入力信号のチャンネルのうち、前記第１変換部で抽出されなかったチャンネルに相当する部分について、所定のデータを補完する、請求項１記載の照明制御通信システム。
【請求項３】
前記第１プロトコルの信号は、一定の送信時間間隔を有し、
前記第２変換部は、前記入力信号の送信時間間隔より、前記器具側通信部が受信した前記通信用信号を前記制御信号に変換した際の送信時間間隔が大きい場合、前記制御信号の送信時間間隔を前記入力信号の送信時間間隔と一致させるように信号の補完を行う、請求項１又は２記載の照明制御通信システム。
【請求項４】
前記第２変換部は、前記入力信号の送信時間間隔より、前記器具側通信部が受信した前記通信用信号を前記制御信号に変換した際の送信時間間隔が大きい場合、前記制御信号の送信時間間隔が一致しない部分について、その一致しない送信時間間隔の前後のデータの間で比例的にデータが変化するように信号を補完することで、前記制御信号の送信時間間隔を前記入力信号の送信時間間隔と一致させるように信号の補完を行う、請求項３記載の照明制御通信システム。
【請求項５】
前記第２変換部は、前記入力信号の送信時間間隔より、前記器具側通信部が受信した前記通信用信号を前記制御信号に変換した際の送信時間間隔が大きい場合、前記制御信号の送信時間間隔が一致しない部分について、その一致しない送信時間間隔の直前のデータをその直後のデータまでの間維持するように信号を補完することで、前記制御信号の送信時間間隔を前記入力信号の送信時間間隔と一致させるように信号の補完を行う、請求項３記載の照明制御通信システム。
【請求項６】
前記第２変換部は、前記入力信号の送信時間間隔より、前記器具側通信部が受信した前記通信用信号を前記制御信号に変換した際の送信時間間隔が大きい場合、前記制御信号の送信時間間隔が一致しない部分について、その一致しない送信時間間隔の直前のデータと、さらに１つ前のデータとから比例的に変化するように信号を補完することで、前記制御信号の送信時間間隔を前記入力信号の送信時間間隔と一致させるように信号の補完を行う、請求項３記載の照明制御通信システム。
【請求項７】
前記制御部側通信部と前記器具側通信部とは、無線又は電力線により前記通信用信号の送受信を行う、請求項１記載の照明制御通信システム。
【請求項８】
前記第１プロトコルに従う信号は、ＤＭＸ５１２規格の信号である、請求項１〜７のいずれか一項記載の照明制御通信システム。
【請求項９】
前記第１変換部と、前記制御部側通信部とを有する第１変換機と、
前記器具側通信部と、前記第２変換部とを有する第２変換機と、を備える、請求項１〜８のいずれか一項記載の照明制御通信システム。
【請求項１０】
照明器具を制御するための通信に用いられる第１プロトコルに従った信号である入力信号を、第２プロトコルに従った通信用信号に変換する第１変換工程と、
前記通信用信号を送信する送信工程と、
前記通信用信号を受信する受信工程と、
前記受信工程で受信した前記通信用信号を、前記第１プロトコルに従った信号である制御信号に変換する第２変換工程と、を含み、
前記第１プロトコルに従った信号は、あらかじめ定められた数のチャンネルを有し、
前記第１プロトコルに従った信号には、前記照明器具を制御するためのデータがチャンネルごとに含まれ、
前記第１変換工程では、前記入力信号のチャンネルの中から、前記チャンネルのうち、あらかじめ定められたチャンネルのデータのみが抽出され、前記通信用信号に変換され、
前記第２変換工程では、前記受信工程で受信した前記通信用信号に所定のデータが補完されることで、前記第１プロトコルの前記制御信号に変換される、照明制御通信方法。
【請求項１１】
コンピュータに、
照明器具を制御するための通信に用いられる第１プロトコルに従った入力信号を、第２プロトコルに従った通信用信号に変換する第１変換工程と、
前記通信用信号を送信する送信工程と、
前記通信用信号を受信する受信工程と、
前記受信工程が受信した前記通信用信号を、前記第１プロトコルに従った制御信号に変換する第２変換工程と、を含み、
前記第１プロトコルに従った信号は、あらかじめ定められた数のチャンネルを有し、
前記第１プロトコルに従った信号には、前記照明器具を制御するためのデータがチャンネルごとに含まれ、
前記第１変換工程では、前記入力信号のチャンネルの中から、前記チャンネルのうち、あらかじめ定められたチャンネルのデータのみが抽出され、前記通信用信号に変換され、
前記第２変換工程では、前記受信工程で受信した前記通信用信号に所定のデータが補完されることで、前記第１プロトコルの前記制御信号に変換される、照明制御通信方法を実行させるプログラム。
【発明の詳細な説明】
【技術分野】
【０００１】
本発明は、照明器具の制御を行う通信システム、照明器具の制御を行う通信方法及びその通信方法を実行するプログラムに関する。
【背景技術】
【０００２】
演出照明システムでは、調光操作卓等の照明制御装置から、ＤＭＸ５１２規格の通信プロトコルによって各照明器具へと制御信号が送られる。ＤＭＸ５１２規格の信号を無線等によって各照明器具の制御信号を送る照明制御システムが開発されている（例えば、特許文献１）。
【０００３】
特許文献１に係る照明制御システムにおいては、調光操作卓から出力された第１プロトコルであるＤＭＸ５１２規格の制御信号を、第２プロトコルであるイーサネット（登録商標）規格等の信号に変換し、照明器具に接続した受信部に送信している。そして、受信した第２プロトコルの信号を、ＤＭＸ５１２規格の信号に再変換した後に、照明器具に出力している。
【先行技術文献】
【特許文献】
【０００４】
【特許文献１】特開２００３−１５１７８０号公報
【発明の概要】
【発明が解決しようとする課題】
【０００５】
無線機器や電力線対応機器が多数存在する際に、無線や電力線での通信は、ＤＭＸ５１２規格等の通信に比べ、スループットが遅くなる場合がある。そのため、ＤＭＸ５１２規格等の信号をそのまま無線や電力線で通信可能な信号に変換して送信した場合、データの欠損等が生じる可能性がある。
【０００６】
本発明は、上記課題に鑑みてなされたものである。その目的は、ＤＭＸ５１２規格等の信号を一旦無線や電力線で通信可能な信号に変換し、その後、再びＤＭＸ５１２規格等の信号に変換する場合でも、データの欠損等をなるべく低減する照明制御通信システムを提供することである。
【０００７】
また、ＤＭＸ５１２規格等の信号を一旦無線や電力線で通信可能な信号に変換し、その後、再びＤＭＸ５１２規格等の信号に変換する場合でも、データの欠損等を抑制する照明制御通信方法を提供することである。さらに、その照明制御通信方法を実行するプログラムを提供することである。
【課題を解決するための手段】
【０００８】
上記課題を解決するため、本発明に係る照明制御通信システムは、照明器具を制御するための通信に用いられる第１プロトコルに従った信号である入力信号を、第２プロトコルに従った通信用信号に変換する第１変換部と、前記通信用信号を送信する制御部側通信部と、前記通信用信号を受信する器具側通信部と、前記器具側通信部が受信した前記通信用信号を、前記第１プロトコルに従った信号である制御信号に変換する第２変換部と、を備え、前記第１プロトコルに従った信号は、あらかじめ定められた数のチャンネルを有し、前記第１プロトコルに従った信号には、前記照明器具を制御するためのデータがチャンネルごとに含まれ、前記第１変換部は、前記入力信号のチャンネルの中から、前記チャンネルのうち、あらかじめ定められたチャンネルのデータのみを抽出し、前記通信用信号に変
換し、前記第２変換部は、前記器具側通信部が受信した前記通信用信号に所定のデータを補完することで、前記第１プロトコルの前記制御信号に変換する。
【０００９】
また、本発明に係る照明制御通信方法は、照明器具を制御するための通信に用いられる第１プロトコルに従った信号である入力信号を、第２プロトコルに従った通信用信号に変換する第１変換工程と、前記通信用信号を送信する送信工程と、前記通信用信号を受信する受信工程と、前記受信工程で受信した前記通信用信号を、前記第１プロトコルに従った信号である制御信号に変換する第２変換工程と、を含み、前記第１プロトコルに従った信号は、あらかじめ定められた数のチャンネルを有し、前記第１プロトコルに従った信号には、前記照明器具を制御するためのデータがチャンネルごとに含まれ、前記第１変換工程では、前記入力信号のチャンネルの中から、前記チャンネルのうち、あらかじめ定められたチャンネルのデータのみが抽出され、前記通信用信号に変換され、前記第２変換工程では、前記受信工程で受信した前記通信用信号に所定のデータが補完されることで、前記第１プロトコルの前記制御信号に変換される。
【００１０】
また、本発明に係るプログラムは、コンピュータに、照明器具を制御するための通信に用いられる第１プロトコルに従った信号である入力信号を、第２プロトコルに従った通信用信号に変換する第１変換工程と、前記通信用信号を送信する送信工程と、前記通信用信号を受信する受信工程と、前記受信工程で受信した前記通信用信号を、前記第１プロトコルに従った信号である制御信号に変換する第２変換工程と、を含み、前記第１プロトコルに従った信号は、あらかじめ定められた数のチャンネルを有し、前記第１プロトコルに従った信号には、前記照明器具を制御するためのデータがチャンネルごとに含まれ、前記第１変換工程では、前記入力信号のチャンネルの中から、前記チャンネルのうち、あらかじめ定められたチャンネルのデータのみが抽出され、前記通信用信号に変換され、前記第２変換工程では、前記受信工程で受信した前記通信用信号に所定のデータが補完されることで、前記第１プロトコルの前記制御信号に変換される、照明制御通信方法を実行させる。
【発明の効果】
【００１１】
本発明に係る照明制御通信システムを用いれば、ＤＭＸ５１２規格等の信号を一旦無線や電力線で通信可能な信号に変換し、その後、再びＤＭＸ５１２規格等の信号に変換する場合でも、データの欠損等を抑制することができる。
【００１２】
また、本発明に係る照明制御通信方法を用いれば、ＤＭＸ５１２規格等の信号を一旦無線や電力線で通信可能な信号に変換し、その後、再びＤＭＸ５１２規格等の信号に変換する場合でも、データの欠損等を抑制することができる。
【００１３】
また、コンピュータ等に本発明に係るプログラムを実行させれば、ＤＭＸ５１２規格等の信号を一旦無線や電力線で通信可能な信号に変換し、その後、再びＤＭＸ５１２規格等の信号に変換する場合でも、データの欠損等を抑制することができる。
【図面の簡単な説明】
【００１４】
【図１】実施の形態１に係る照明制御通信システムの一例を表すブロック図
【図２】実施の形態１に係る照明制御通信システムの信号変換の一例を示す模式図
【図３】実施の形態１に係る照明制御通信システムの信号の補完の一例を示す模式図
【図４】実施の形態１に係る照明制御通信システムの動作の一例を示すフローチャート
【発明を実施するための形態】
【００１５】
以下では、実施の形態に係る照明制御通信システム、照明制御通信方法及びプログラムについて、図面を用いて詳細に説明する。なお、以下に説明する実施の形態は、いずれも本発明の一例を示すものであって、数値、構成要素、動作等についても一例に過ぎず、本
発明を限定する趣旨のものではない。
【００１６】
また、各図は模式図であり、必ずしも厳密に図示されたものではない。また、各図において、実質的に同一の構成については、同一の符号を付しており、重複する説明は省略又は簡略化することがある。
【００１７】
（実施の形態１）
以下では、図１〜４を用いて実施の形態１に係る照明制御通信システム１について説明する。図１は、実施の形態１に係る照明制御通信システムの一例を表すブロック図である。図２は、実施の形態１に係る照明制御通信システムの信号変換の一例を示す模式図である。図３は、実施の形態１に係る照明制御通信システムの信号の補完の一例を示す模式図である。また、図４は、実施の形態１に係る照明制御通信システムの動作の一例を示すフローチャートである。
【００１８】
より詳細には、図２（ａ）は、照明制御部から出力された第１プロトコルに従う入力信号の一例を模式的に示す図である。図２（ｂ）は、第１変換部によって入力信号から変換された通信用信号の一例を模式的に示す図である。図２（ｃ）は、通信側制御部が受信した通信用信号の一例を模式的に示す図である。また、図２（ｄ）は、第２変換部によって通信用信号から変換された制御信号の一例を示す図である。
【００１９】
また、図３（ａ）は、照明制御部から出力された第１プロトコルに従う入力信号の一例を模式的に示す図である。図３（ｂ）は、第１変換部によって入力信号から変換された通信用信号の一例を模式的に示す図である。図３（ｃ）は、通信側制御部が受信した通信用信号の一例を模式的に示す図である。また、図３（ｄ）は、第２変換部によって通信用信号から変換された制御信号の一例を示す図である。
【００２０】
［構成］
照明制御通信システム１は、例えば、屋外等において演出照明等を制御するために用いられる。照明制御通信システム１は、第１変換部２と、制御部側通信部３と、器具側通信部４と、第２変換部５と、を備える。照明制御通信システム１は、照明制御部６から出力された第１プロトコルに従った入力信号を、第２プロトコルに従う通信用信号に変換した後、第１プロトコルに従った制御信号に変換して、各照明器具７に出力する。
【００２１】
より詳細には、照明制御通信システム１では、第１変換部２と制御部側通信部３とは照明制御部６側に設けられ、器具側通信部４と第２変換部５とは照明器具７側に設けられる。
【００２２】
照明制御部６は、各照明器具７を制御するための第１プロトコルに従う入力信号を出力する。
【００２３】
第１変換部２は、照明制御部６が出力した入力信号を、第２プロトコルに従う通信用信号に変換する。この際、第１変換部２は、入力信号から照明器具７が使用するチャンネルのデータのみを抽出し、通信用信号に変換してもよい。
【００２４】
制御部側通信部３は、第１変換部２が変換した通信用信号を器具側通信部４に、無線又は電力線を介して送信する。
【００２５】
器具側通信部４は、制御部側通信部３から受信した通信用信号を第２変換部５へ出力する。
【００２６】
第２変換部５は、器具側通信部４が受信した第２プロトコルに従う通信用信号を第１プロトコルに従う制御信号に変換する。第２変換部５が変換した制御信号は、各照明器具７に出力される。この際、第２変換部５は、必要に応じて、照明器具７が使用しないチャンネルに、照明器具７が用いないダミーデータを補完して、通信用信号を制御信号に変換してもよい。或いは、第２変換部５は、第１変換部２が抽出したチャンネルのデータのみを用いて、通信用信号を制御信号に変換してもよい。
【００２７】
照明器具７は、第２変換部５から出力された第１プロトコルに従う制御信号に従って動作を行う。
【００２８】
ここで、実施の形態１において、第１プロトコルに従う信号とは、ＤＭＸ５１２規格に従う信号、或いは、ＤＭＸ５１２規格に準拠する信号のことである。第１プロトコルであるＤＭＸ５１２規格は、１ｃｈ〜５１２ｃｈの５１２チャンネルを有する。
【００２９】
各チャンネルを介して、いずれかの照明器具７を制御するための情報が送信される。ＤＭＸ５１２規格の信号では、この５１２チャンネルの信号の全て又は一部が順次に送信される。
【００３０】
各照明器具７には、それぞれが使用するＤＭＸ５１２規格の信号のチャンネルが割り当てられている。各照明器具７は、入力されてきたＤＭＸ５１２規格の信号から、その照明器具７に割り当てられたチャンネルのデータを読み取り、そのデータに従って動作を行う。
【００３１】
また、第２プロトコルに従う信号は、無線や電力線によって送受信可能な信号をもちいることができる。例えば、第２プロトコルに従う信号として、イーサネット（登録商標）規格等の汎用のＬＡＮ規格等を用いることができる。
【００３２】
［照明制御部］
照明制御部６は、各照明器具７を制御するための第１プロトコルであるＤＭＸ５１２規格の入力信号を出力する。実施の形態１において、照明制御部６は、調光操作卓である。なお、照明制御部６としては、第１プロトコルに従う照明の制御のための信号を出力できるものであればよく、例えば、パーソナルコンピュータやタブレット等であってもよい。
【００３３】
照明器具７の制御を行うユーザは、照明制御部６の操作部（図示せず）を操作することによって、照明器具７のそれぞれの調光や調色や照射方向等の設定を行うことができる。照明制御部６によって設定された調光等に関するデータについては、ＤＭＸ５１２規格の信号の対応するチャンネルにおいて送信される。
【００３４】
［第１変換部］
第１変換部２は、照明制御部６から出力された第１プロトコルであるＤＭＸ５１２規格に従う入力信号を、第２プロトコルであるＬＡＮ規格に従う通信用信号に変換する。第１変換部２によって、変換された第２プロトコルに従う通信用信号は、制御部側通信部に出力される。第１変換部２は、信号の処理を行えるものであればよく、例えば、ＣＰＵのようなプロセッサ等を用いることができる。また、第１変換部２は、メモリを備えていることが好ましい。
【００３５】
第１変換部２は、第１プロトコルであるＤＭＸ５１２規格の信号から、あらかじめ定められたチャンネルのデータのみを抽出し、第２プロトコルであるＬＡＮ規格の通信用信号に変換する。ここで、あらかじめ定められたチャンネルとは、各照明器具７が使用するチャンネルの全てを含むチャンネルである。
【００３６】
例えば、照明器具７が５つあり、それぞれの照明器具７が４チャンネルずつ使用する場合等、１ｃｈ〜２０ｃｈが使用されている場合は、図２（ｂ）に示すように、あらかじめ１ｃｈ〜２０ｃｈのデータを、第１変換部２が抽出するように設定される。また、この場合、１ｃｈ〜２５ｃｈのデータのように、実際に各照明器具７で使用されるチャンネルを含む範囲のチャンネルを、第１変換部２が抽出するように設定してもよい。
【００３７】
また、照明器具７に割り当てられているチャンネルが１０ｃｈ〜３０ｃｈのように、先頭の１ｃｈ〜９ｃｈを使用していない場合には、１０ｃｈ〜３０ｃｈを第１変換部２が抽出するように設定してもよい。或いは、この場合、先頭も含めて１ｃｈ〜３０ｃｈを第１変換部２が抽出するように設定してもよい。
【００３８】
また、照明器具７に割り当てられているチャンネルが１ｃｈ〜５ｃｈ及び１５ｃｈ〜２５ｃｈのように連続していない場合には、１ｃｈ〜２５ｃｈを第１変換部２が抽出するように設定してもよい。或いは、この場合、１ｃｈ〜５ｃｈ及び１５ｃｈ〜２５ｃｈを第１変換部２が抽出するように設定してもよい。
【００３９】
通信用信号は、第１プロトコルであるＤＭＸ５１２規格の信号よりもスループットが遅くなる場合のある無線又は電力線によって送信される。そのため、第１プロトコルに従う信号からあらかじめ定められたチャンネルのデータのみを抽出して通信用信号に変換することで、情報量を減らし、無線又は電力線による送信の際に、データの欠損等を抑制することができる。
【００４０】
ここで、第１プロトコルであるＤＭＸ５１２規格の信号から第２プロトコルであるＬＡＮ規格の信号への変換は、例えば、第１変換部２が抽出したチャンネルのデータを、ＩＰパケットのデータ部分に埋め込むことにより変換することができる。
【００４１】
［制御部側通信部］
制御部側通信部３は、第１変換部２によって変換された第２プロトコルであるＬＡＮ規格の通信用信号を、器具側通信部４に送信する。実施の形態１において、制御部側通信部３は、Ｗｉ−Ｆｉ（登録商標）等の無線により通信用信号を送信する。なお、制御部側通信部３は、電力線等の有線によって通信用信号を送信してもよい。
【００４２】
［器具側通信部］
器具側通信部４は、制御部側通信部３が送信した通信用信号を受信する。実施の形態１において、器具側通信部４と制御部側通信部３とは、無線により通信を行う。なお、器具側通信部４と制御部側通信部３とは、有線によって通信を行ってもよい。
【００４３】
実施の形態１において、制御部側通信部３は器具側通信部４への送信のみを行い、器具側通信部４は制御部側通信部３からの受信のみを行う。しかしながら、制御部側通信部３と器具側通信部４とは、相互に送受信を行う構成としてもよい。例えば、器具側通信部４が通信用信号を受信した場合に、受信完了の信号を制御部側通信部３に送信するような構成とすることができる。
【００４４】
［第２変換部］
第２変換部５は、器具側通信部４が受信した第２プロトコルであるＬＡＮ規格の通信用信号を、第１プロトコルであるＤＭＸ５１２規格の入力信号に変換する。第２変換部５によって変換された第１プロトコルであるＤＭＸ５１２規格の制御信号は、各照明器具７に出力される。第２変換部５は、信号の処理を行えるものであればよく、例えば、ＣＰＵのようなプロセッサ等を用いることができる。また、第２変換部５はメモリを備えているこ
とが好ましい。
【００４５】
通信用信号は、ＤＭＸ５１２規格の入力信号のチャンネルのうち、第１変換部２で抽出されたチャンネルのデータ情報のみを有する。そのため、第２変換部５は、第１変換部２で抽出されなかったチャンネルに相当する部分について、所定のデータを補完する。この場合に、第２変換部５が補完する所定のデータとは、例えば、ダミーデータ等であり、数値としては「０」のデータ等である。
【００４６】
具体的には、第２変換部５は、通信用信号として送られてきたデータについて、ＤＭＸ５１２規格の信号の先頭の１ｃｈから順に割り当てていく。そして、データが割り当てられなかったチャンネルについては、第１変換部２で抽出されなかったチャンネルに相当する部分として、所定のデータを補完することで、第１プロトコルであるＤＭＸ５１２規格の制御信号に変換する。
【００４７】
例えば、図２（ｂ）に示すように、第１変換部２が入力信号の１ｃｈ〜２０ｃｈを抽出し通信用信号に変換した場合、第２変換部５は、図２（ｄ）に示すように、通信用信号として送られてきたデータを１ｃｈ〜２０ｃｈに割り当てる。そして、第２変換部５は、データが割り当てられなかったチャンネルについては所定のデータを補完する。
【００４８】
また、第１変換部２が入力信号の１１ｃｈ〜２５ｃｈを抽出し通信用信号に変換した場合、第２変換部５は、通信用信号として送られてきた信号を１ｃｈ〜１５ｃｈに割り当て、データが割り当てられなかったチャンネルについては所定のデータを補完する。
【００４９】
或いは、第１変換部２が入力信号の１ｃｈ〜５ｃｈ及び１１ｃｈ〜１５ｃｈを抽出した場合、第２変換部５は、通信用信号として送られてきた信号を１ｃｈ〜１０ｃｈに割り当て、データが割り当てられなかったチャンネルについては所定のデータを補完する。
【００５０】
なお、第２変換部５は、通信用信号として送られてきたデータを、照明制御部６から出力された入力信号の時と同じチャンネルに割り当ててもよい。この場合、第１変換部２は、入力信号を通信用信号に変換する際に、抽出したチャンネルの番号に関する情報も含めて通信用信号に変換することとなる。
【００５１】
具体的には、第１変換部２が入力信号の１ｃｈ〜２０ｃｈを抽出し通信用信号に変換した場合、第２変換部５は、通信用信号として送られてきたデータを１ｃｈ〜２０ｃｈに割り当て、データが割り当てられなかったチャンネルについては所定のデータを補完する。
【００５２】
また、第１変換部２が入力信号の１０ｃｈ〜２５ｃｈを抽出し通信用信号に変換した場合、第２変換部５は、通信用信号として送られてきた信号を１０ｃｈ〜２５ｃｈに割り当て、データが割り当てられなかったチャンネルについては所定のデータを補完する。
【００５３】
或いは、第１変換部２が入力信号の１ｃｈ〜５ｃｈ及び１０ｃｈ〜１５ｃｈを抽出した場合、第２変換部５は、通信用信号として送られてきた信号を１ｃｈ〜５ｃｈ及び１０ｃｈ〜１５ｃｈに割り当てる。そして、第２変換部５は、データが割り当てられなかったチャンネルについては所定のデータを補完する。
【００５４】
上述のように第１変換部２で抽出されなかったチャンネルに相当する部分を所定のデータで補完することで、第１プロトコルであるＤＭＸ５１２規格等の信号で照明制御を行う際に無線通信等を介する場合でも、データの欠損等を抑制することができる。つまり、ＤＭＸ５１２規格等の信号を無線等で通信可能な信号に変換し、再びＤＭＸ５１２規格等の信号に変換した場合でも、データの欠損等を抑制することができる。
【００５５】
演出照明としてのスムーズな照明器具７の制御のために、照明制御部６から出力される入力信号と、第２変換部５から出力される制御信号とは、同じ送信時間間隔で信号の出力を行う。また、制御部側通信部３と器具側通信部４とはＤＭＸ５１２規格の信号よりもスループットが遅くなる場合のあるＬＡＮ規格で送受信を行う。
【００５６】
そのため、制御部側通信部３と器具側通信部４との間の送受信の間に、信号の送信時間間隔にズレが生じる場合がある。このようなズレが生じた場合に、信号の送信時間間隔が一致しないため第２変換部５が信号を取り込むことができず、制御信号のデータに、図３（ｃ）に示すような欠損等が生じるおそれがある。
【００５７】
欠損等が生じる場合について、図３を用いてより具体的に説明する。図３において、ｔ１は基準時点を示し、ｔ２は基準時点ｔ１から入力信号の送信時間間隔の１回分が経過した時点を示し、ｔ３は基準時点ｔ１から入力信号の送信時間間隔の２回分が経過した時点を示す。例えば、入力信号の送信時間間隔が１００ミリ秒毎である場合、ｔ２はｔ１の１００ミリ秒後であり、ｔ３はｔ１の２００ミリ秒後である。
【００５８】
器具側通信部４が、入力信号のｔ２時点及びｔ３時点の信号に相当する信号を、それぞれ入力信号のｔ１時点の信号に相当する信号を受信してから１８０ミリ秒後及び２００ミリ秒後に受信すれば、ｔ２時点の信号において送信時間間隔とズレが生じてしまう。
【００５９】
このように第２変換部５が入力信号のｔ１時点の信号に相当する信号を受信してから１００ミリ秒後の信号を受信できない場合等に、第２変換部５が信号を取り込むことができず、図３（ｃ）に示すようｔ２の列において欠損等が生じてしまう。
【００６０】
また、周辺に他の無線機器等が存在し、制御部側通信部３と器具側通信部４との間の通信が他の機器の通信と干渉等をしてしまう場合がある。このような干渉等によって器具側通信部４がデータを受信し損なった場合等には、送信時間間隔が入力信号と一致するように通信用信号の通信が行われている場合にも、図３（ｃ）に示すようなデータの欠損等が生じるおそれがある。
【００６１】
第２変換部５は、上記のようなデータの欠損等が生じた場合に、器具側通信部４が受信した通信用信号を制御信号に変換した際のデータの通信時間間隔が、入力信号のデータの通信時間間隔と一致するように信号を補完する。
【００６２】
第２変換部５が入力信号のデータの通信時間間隔を用いるために、第２変換部５のメモリに、あらかじめ入力信号のデータの通信時間間隔が記憶されていることが好ましい。或いは、第１変換部２が、入力信号のデータの送信時間間隔の情報も含めて、入力信号を通信用信号に変換する構成としてもよい。
【００６３】
この際のデータの補完手法は、実施の形態１においては、データの欠損等が生じた部分について、その欠損等部分の前後のデータから比例的に変化するように、第２変換部５は信号を補完する。例えば、図３（ｄ）の１ｃｈで示す通り、欠損等の前後の数値データがそれぞれ「１００」（ｔ１）と「９６」（ｔ３）であり、欠損等が入力信号の１回の通信分である場合、第２変換部５は、「９８」の数値データによって欠損等の部分（ｔ２）を補完する。
【００６４】
また、欠損等の前後のデータの数値がそれぞれ「８３」と「９５」であり、データの欠損等が入力信号の３回の通信分である場合、第２変換部５は、順に「８６」、「８９」、「９２」の数値のデータによって信号の欠損等の部分を補完する。
【００６５】
ここで、上記のような補完を行う場合、欠損等部分の直後のデータを受け取る必要があるため、第２変換部５は、通信用信号を受けてから、入力信号の通信時間間隔より長い所定時間が経過した後に、通信用信号の制御信号への変換を行う。
【００６６】
なお、この際のデータの補完手法は、上記のものに限定されない。例えば、第２変換部５は、欠損等が生じた部分について、欠損等の直前のデータを、その欠損等の直後のデータまでの間維持するように信号の補完を行ってもよい。
【００６７】
例えば、欠損等の直前のデータの数値が「１０２」であり、データの欠損等が入力信号の１回の通信分である場合、第２変換部５は、「１０２」の数値データによって信号の欠損等の部分を補完する。
【００６８】
また、欠損等の直前のデータの数値が「８３」であり、データの欠損等が入力信号の３回の通信分である場合、第２変換部５は、順に「８３」、「８３」、「８３」の数値のデータによって信号の欠損等の部分を補完する。
【００６９】
さらに、この際のデータの補完手法は、上述の２手法のみに限定されない。例えば、第２変換部５は、欠損等が生じた部分について、直前のデータと、さらに１つ前のデータとから比例的に変化するように信号を補完してもよい。
【００７０】
例えば、欠損等の直前の一つ前と欠損等の直前のデータの数値がそれぞれ「１０８」と「１０２」の順であり、データの欠損等が入力信号の１回の通信分である場合、第２変換部５は、「９６」の数値データによって信号の欠損等の部分を補完する。
【００７１】
また、欠損等の直前の一つ前と欠損等の直前のデータの数値がそれぞれ「９６」、「９８」の順であり、データの欠損等が入力信号の３回の通信分である場合、第２変換部５は、順に「９４」、「９２」、「９０」の数値データによって信号の欠損等の部分を補完する。
【００７２】
上述のように、データの欠損等を補完することにより、第１プロトコルであるＤＭＸ５１２規格等の信号で照明制御を行う際に無線通信等を介する場合でも、データの欠損等を抑制することができる。つまり、ＤＭＸ５１２規格等の信号を無線等で通信可能な信号に変換し、再びＤＭＸ５１２規格等の信号に変換した場合でも、データの欠損等を抑制することができる。
【００７３】
なお、図３（ｃ）においては、すべてのチャンネルにおいて欠損等が生じているように記載しているが、一部のチャンネルのみに欠損等が生じる場合も想定され得る。一部のチャンネルのみに欠損等が生じた場合であっても、第２変換部５は、上述と同様の方法によって欠損等の部分を補完することができる。
【００７４】
なお、実施の形態１において、第２変換部５は、第１変換部２で抽出されなかったチャンネルに相当する部分について所定のデータを補完した後に、データの欠損等を補完しているが、第２変換部５における変換順序はこの逆であってもよい。つまり、第２変換部５は、データの欠損等を補完した後に、第１変換部２で抽出されなかったチャンネルに相当する部分について所定のデータを補完してもよい。
【００７５】
［照明器具］
実施の形態１において、照明器具７は、屋外に設置されている演出照明である。なお、照明制御通信システム１は、屋外に設置されているものだけでなく、室内に設置されてい
る照明器具７を制御するために用いることもできる。また、照明制御通信システム１は、演出照明だけでなく、例えば、周期的なパターン等で発光を繰り返す看板や表示用の照明等の制御に用いてもよい。
【００７６】
照明器具７の光源は、実施の形態１では、ＬＥＤである。なお、照明器具７の光源としては、ＬＥＤだけでなく、例えば、ハロゲンランプやレーザーダイオード等であってもよい。また、照明制御通信システム１は、複数の照明器具７を制御することができるが、１つの照明器具７のみの制御に用いてもよい。
【００７７】
［動作］
以下では、図３のフローチャートを用いて、実施の形態１に係る照明制御通信システム１の動作について説明する。
【００７８】
第１変換部２は、照明制御部６から出力された第１プロトコルであるＤＭＸ５１２規格の入力信号の入力を受ける（Ｓ１０）。第１変換部２は、入力を受けた入力信号から、あらかじめ定められたチャンネルのデータのみを抽出し、第２プロトコルであるＬＡＮ規格の通信用信号に変換する（Ｓ２０）。ここで、あらかじめ定められたチャンネルとは、各照明器具７が使用するチャンネルの全てを含むチャンネルである。
【００７９】
例えば、Ｓ２０では、図２（ａ）に示す信号から図２（ｂ）に示す信号への変換等が行われる。図２で示す例では、照明器具はＤＭＸ５１２規格の信号の１ｃｈ〜２０ｃｈを使用する場合に、第１変換部２は、入力信号の１ｃｈ〜２０ｃｈを抽出して通信用信号に変換している。
【００８０】
第１変換部２によって変換された通信用信号は、制御部側通信部３によって、無線又は電力線によって送信される（Ｓ３０）。制御部側通信部３が送信した通信用信号は、器具側通信部４によって受信される（Ｓ４０）。器具側通信部４が受信した通信用信号は、第２変換部５に出力される。
【００８１】
第２変換部５は、第２プロトコルであるＬＡＮ規格の通信用信号に所定のデータを補完することで、第１プロトコルであるＤＭＸ５１２規格の制御信号に変換する（Ｓ５０）。ここで、第２変換部５は、第１変換部２で抽出されなかったチャンネルに相当する部分について、所定のデータを補完する。この場合の所定のデータとは、例えば、ダミーデータ等であり、数値としては「０」のデータ等である。
【００８２】
例えば、Ｓ５０では、図２（ｃ）に示す信号から図２（ｄ）に示す信号への変換等が行われる。図２に示す例では、第２変換部５は、通信用信号として受信した１ｃｈ〜２０ｃｈ分のデータを、ＤＭＸ５１２規格の信号の１ｃｈ〜２０ｃｈにそれぞれ割り当て、データが割り当てられなかったチャンネルにはダミーデータとして「０」を入れて補完している。
【００８３】
また、制御部側通信部３と器具側通信部４とは、ＤＭＸ５１２規格の信号よりもスループットが遅くなる場合のあるＬＡＮ規格で送受信を行うため、制御部側通信部３と器具側通信部４との間の送受信において、データの欠損等が生じるおそれがある。
【００８４】
ここで、データの欠損等とは、器具側通信部４が受信した通信用信号をＤＭＸ５１２規格の制御信号に変換した際の時系列的に隣接するデータの通信時間間隔が、入力信号の時系列的に隣接するデータ間の通信時間間隔より大きくなることである。
【００８５】
第２変換部５は、このようなデータの欠損等が生じた場合に、器具側通信部４が受信し
た通信用信号を制御信号に変換した際のデータの通信時間間隔が、入力信号のデータの通信時間間隔と一致するように信号を補完する。第２変換部５は、データの欠損等が生じた部分について、その欠損等部分の前後のデータから比例的に変化するように、信号を補完する。
【００８６】
例えば、Ｓ５０では、図３（ｃ）に示す信号から図３（ｄ）に示す信号への変換等が行われる。図３に示す例では、例えば１ｃｈでは欠損等の前後のデータがそれぞれ「１００」及び「９６」であるので、第２変換部５は、欠損等の部分に「９８」のデータを補完している。
【００８７】
なお、欠損等が生じた場合のデータの補完については、第２変換部５は、欠損等が生じた部分について、欠損等の直前のデータを、その欠損等の直後のデータまでの間維持するように信号の補完を行ってもよい。或いは、第２変換部５は、欠損等が生じた部分について、直前のデータと、さらに１つ前のデータとから比例的に変化するように信号を補完してもよい。
【００８８】
Ｓ５０において、第２変換部５によって変換された第１プロトコルであるＤＭＸ５１２規格の制御信号は、各照明器具７に出力される（Ｓ６０）。各照明器具７は、入力された制御信号から、その照明器具７に割り当てられたチャンネルのデータを読み取ることで、その制御信号に従った動作を行う。
【００８９】
［実施の形態に係る照明制御通信システムの効果等］
ここで、あらためて、実施の形態１に係る照明制御通信システム１の要点について説明する。
【００９０】
実施の形態１に係る照明制御通信システム１は、第１変換部２と、制御部側通信部３と、器具側通信部４と、第２変換部５と、を備える。第１変換部２は、照明器具７を制御するための通信に用いられる第１プロトコルに従った信号である入力信号を、第２プロトコルに従った通信用信号に変換する。制御部側通信部３は、通信用信号を送信する。器具側通信部４は、通信用信号を受信する。第２変換部５は、器具側通信部４が受信した通信用信号を、第１プロトコルに従った信号である制御信号に変換する。第１プロトコルに従った信号は、あらかじめ定められた数のチャンネルを有する。第１プロトコルに従った信号には、照明器具７を制御するためのデータがチャンネルごとに含まれる。第１変換部２は、入力信号のチャンネルの中から、あらかじめ定められたチャンネルのデータのみを抽出し、通信用信号に変換する。第２変換部５は、器具側通信部４が受信した通信用信号に所定のデータを補完することで、第１プロトコルの制御信号に変換する。
【００９１】
上記構成を有する照明制御通信システム１を用いれば、ＤＭＸ５１２規格等の信号を一旦無線や電力線で通信可能な信号に変換し、その後、再びＤＭＸ５１２規格等の信号に変換する場合でも、データの欠損等を抑制することができる。
【００９２】
また、実施の形態１に係る照明制御通信システム１は、第２変換部５は、入力信号のチャンネルのうち、第１変換部２で抽出されなかったチャンネルに相当する部分について、所定のデータを補完することが好ましい。
【００９３】
上述のように第１変換部２で抽出されなかったチャンネルに相当する部分を所定のデータで補完することで、第１プロトコルであるＤＭＸ５１２規格等の信号で照明制御を行う際に無線通信等を介する場合でも、データの欠損等を抑制することができる。つまり、ＤＭＸ５１２規格等の信号を無線等で通信可能な信号に変換し、再びＤＭＸ５１２規格等の信号に変換した場合でも、データの欠損等を抑制することができる。
【００９４】
また、実施の形態１に係る照明制御通信システム１は、第２変換部５は、器具側通信部４が受信した通信用信号にデータの欠損等がある場合、制御信号の送信時間間隔を入力信号の送信時間間隔と一致させるように信号の補完を行うことが好ましい。ここで、データの欠損等とは、入力信号の送信時間間隔より器具側通信部４が受信した通信用信号を制御信号に変換した際の送信時間間隔が大きくなることである。また、第１プロトコルの信号は、一定の送信時間間隔を有する。
【００９５】
そして、実施の形態１に係る照明制御通信システム１のデータの欠損等の部分について、制御信号の送信時間間隔を入力信号の送信時間間隔と一致させるように行う信号の補完の手法には、例えば、以下の３つのようなものがある。ここで、データの欠損等の部分とは、入力信号の送信時間間隔と制御信号の送信時間間隔が一致しない部分のことである。
【００９６】
例えば、実施の形態１に係る照明制御通信システム１は、データの欠損等の前後のデータの間で比例的にデータが変化するように信号を補完してもよい。また、実施の形態１に係る照明制御通信システム１は、第２変換部５は、データの欠損等の直前のデータをその直後のデータまでの間維持するように信号を補完してもよい。また、実施の形態１に係る照明制御通信システム１は、データの欠損等の直前のデータと、さらに１つ前のデータとから比例的に変化するように信号を補完してもよい。
【００９７】
上述のようにデータの欠損等を補完することにより、第１プロトコルであるＤＭＸ５１２規格等の信号で照明制御を行う際に無線通信等を介する場合でも、データの欠損等を抑制することができる。つまり、ＤＭＸ５１２規格等の信号を無線等で通信可能な信号に変換し、再びＤＭＸ５１２規格等の信号に変換した場合でも、データの欠損等を抑制することができる。
【００９８】
また、実施の形態１に係る照明制御通信システム１は、制御部側通信部と前記器具側通信部とは、無線又は電力線により通信用信号の送受信を行うことが好ましい。
【００９９】
上記構成により、比較的太いＤＭＸ５１２規格の信号用ケーブルの露出により意匠性を損なうことを抑制することができる。
【０１００】
また、実施の形態１に係る照明制御通信システム１は、第１プロトコルに従う信号は、ＤＭＸ５１２規格の信号であることが好ましい。
【０１０１】
上記構成により、照明器具７の制御に適したＤＭＸ５１２規格の信号を用いて、複数の照明器具７を制御することができる。
【０１０２】
（その他の実施の形態）
以上、実施の形態１を用いて、本発明に係る照明制御通信システム１について説明してきたが、本発明は実施の形態１に係る照明制御通信システム１に限定されるものではない。例えば、本発明は、照明制御通信方法、及び、プログラムについても有用である。
【０１０３】
実施の形態に係る照明制御通信方法は、第１変換工程と、送信工程と、受信工程と、第２変換工程と、を含む。第１変換工程では、照明器具を制御するための通信に用いられる第１プロトコルに従った信号である入力信号を、第２プロトコルに従った通信用信号に変換する。送信工程では、通信用信号を送信する。受信工程では、通信用信号を受信する。第２変換工程では、受信工程で受信した通信用信号を、第１プロトコルに従った信号である制御信号に変換する。第１プロトコルに従った信号は、あらかじめ定められた数のチャンネルを有する。第１プロトコルに従った信号には、照明器具を制御するためのデータが
チャンネルごとに含まれる。第１変換工程では、入力信号のチャンネルの中から、あらかじめ定められたチャンネルのデータのみが抽出され、通信用信号に変換される。第２変換工程では、受信工程で受信した通信用信号に所定のデータが補完されることで、第１プロトコルの制御信号に変換される。
【０１０４】
上記構成を有する照明制御通信方法を用いれば、ＤＭＸ５１２規格等の信号を一旦無線や電力線で通信可能な信号に変換し、その後、再びＤＭＸ５１２規格等の信号に変換する場合でも、データの欠損等を抑制することができる。
【０１０５】
また、実施の形態に係るプログラムは、コンピュータに、第１変換工程と、送信工程と、受信工程と、第２変換工程と、を含む照明制御通信方法を実行させる。第１変換工程では、照明器具を制御するための通信に用いられる第１プロトコルに従った信号である入力信号を、第２プロトコルに従った通信用信号に変換する。送信工程では、通信用信号を送信する。受信工程では、通信用信号を受信する。第２変換工程では、受信工程で受信した通信用信号を、第１プロトコルに従った信号である制御信号に変換する。第１プロトコルに従った信号は、あらかじめ定められた数のチャンネルを有する。第１プロトコルに従った信号には、照明器具を制御するためのデータがチャンネルごとに含まれる。第１変換工程では、入力信号のチャンネルの中から、あらかじめ定められたチャンネルのデータのみが抽出され、通信用信号に変換される。第２変換工程では、受信工程で受信した通信用信号に所定のデータが補完されることで、第１プロトコルの制御信号に変換される。
【０１０６】
コンピュータ等に上記構成を有するプログラムを実行させれば、ＤＭＸ５１２規格等の信号を一旦無線や電力線で通信可能な信号に変換し、その後、再びＤＭＸ５１２規格等の信号に変換する場合でも、データの欠損等を抑制することができる。
【０１０７】
また、実施の形態１においては、照明制御部６と、第１変換部２及び制御部側通信部３とは、別体であることを想定して説明してきたが、照明制御部６が第１変換部２及び制御部側通信部３を一体に備えていてもよい。
【０１０８】
また、実施の形態１において、第１変換部２と制御部側通信部３とを一体とし、第１変換機８として構成してもよい。また、実施の形態１において、器具側通信部４と第２変換部５とを一体とし、第２変換機９として構成してもよい。つまり、実施の形態１に係る照明制御通信システム１は、第１変換機８と、第２変換機９とを備える構成としてもよい。
【０１０９】
また、実施の形態１において、データの欠損等は意図的に生じるものではなく、第１プロトコルに従う信号と第２プロトコルに従う信号とのスループットの差によって、制御部側通信部３と器具側通信部４との間の送受信によって生じるものとして説明してきた。しかしながら、第１プロトコルに従う信号と第２プロトコルに従う信号とのスループットの差に応じて、意図的にデータの欠損等を生じさせてもよい。
【０１１０】
例えば、第１変換部２が、入力信号を通信用信号に変換する際に、第２プロトコルに従った信号のスループットに応じた送信時間間隔になるように、入力信号のデータを時系列において飛ばし飛ばしに抽出し、意図的にデータの欠損等を生じさせる構成としてもよい。
【０１１１】
なお、上述の各実施の形態については、本発明の実施態様の例示に過ぎず、数値や形状等についても好ましいものの例示に過ぎず、本発明はこれらの実施の形態にのみ限定されるものではない。本発明の技術的思想の範囲を逸脱しない範囲で、構成に適宜変更を加えることは可能である。
【符号の説明】
【０１１２】
１        照明制御通信システム
２        第１変換部
３        制御部側通信部
４        器具側通信部
５        第２変換部
６        照明制御部
７        照明器具
【図１】
2019110080.tif 000003
【図２】
2019110080.tif 000004
【図３】
2019110080.tif 000005
【図４】
2019110080.tif 000006